(57)【要約】    【課題】      装置本体に設けられたアンテナの受信信号と、イヤホンに設けられたアンテナの受信信号をダイバーシチ処理する機能を有する携帯端末装置において、不必要な処理負担を低減できると共に消費電流を低減できるようにすること。    【解決手段】  イヤホン端子２０３の挿抜を検出するイヤホン挿抜検出部１０８と、イヤホン端子２０３が抜かれている検出結果が得られたときにダイバーシチ処理部１０３ダイバーシチ機能を停止する制御部１０９とを設けたようにする。これにより、ダイバーシチ処理部１０３での不必要な処理負担が低減されると共に消費電流が低減される。  【選択図】      図１
2006101012.tif 000002
【特許請求の範囲】
【請求項１】
アンテナと、
イヤホン接続部と、
前記アンテナの受信信号と、イヤホンに設けられたアンテナの受信信号をダイバーシチ処理するダイバーシチ処理手段と、
前記イヤホン接続部にイヤホン端子が接続されているか否かを検出する検出手段と、
前記検出手段の検出結果に応じて、前記ダイバーシチ処理手段のダイバーシチ機能を停止させる制御手段と
を具備することを特徴とする携帯端末装置。
【発明の詳細な説明】
【技術分野】
【０００１】
本発明は、アンテナの受信信号と、イヤホンに設けられたアンテナの受信信号をダイバーシチ処理する機能を有する携帯端末装置に関する。
【背景技術】
【０００２】
従来、アンテナの受信信号と、イヤホンに設けられたアンテナの受信信号をダイバーシチ処理する機能を有する携帯電話機が、例えば特許文献１に記載されている。
【０００３】
このように携帯電話機本体に設けられたアンテナに加えて、イヤホンに設けられたアンテナを用いてダイバーシチ処理を行うと、アンテナ間での距離を大きくすることができるので、携帯電話機本体に設けられた複数アンテナを用いてダイバーシチ処理を行う場合と比較して、ダイバーシチ効果が大きくなり有用である。
【特許文献１】特開２００１−２５１２３２号公報
【発明の開示】
【発明が解決しようとする課題】
【０００４】
ところが、このようなダイバーシチ機能を搭載する従来の携帯電話機においては、ダイバーシチ処理による不必要な処理負担の増加や消費電流の増加については、十分な配慮がなされていなかった。特に、携帯電話機等の携帯端末装置においては、小型軽量化が求めれ、搭載できるＣＰＵ（Central Processing Unit）の処理能力やバッテリの容量にも限界があるので、不必要な処理負担や不必要な消費電流を低減することは非常に重要となる。
【０００５】
本発明はかかる点に鑑みてなされたものであり、装置本体に設けられたアンテナの受信信号と、イヤホンに設けられたアンテナの受信信号をダイバーシチ処理する機能を有する携帯端末装置において、不必要な処理負担を低減できると共に消費電流を低減できる携帯端末装置を提供することを目的とする。
【課題を解決するための手段】
【０００６】
かかる課題を解決するため本発明の携帯端末装置は、アンテナと、イヤホン接続部と、アンテナの受信信号とイヤホンに設けられたアンテナの受信信号をダイバーシチ処理するダイバーシチ処理手段と、イヤホン接続部にイヤホン端子が接続されているか否かを検出する検出手段と、検出手段の検出結果に応じて、ダイバーシチ処理手段のダイバーシチ機能を停止させる制御手段とを具備する構成を採る。
【発明の効果】
【０００７】
本発明によれば、アンテナの受信信号と、イヤホンに設けられたアンテナの受信信号をダイバーシチ処理する機能を有する携帯端末装置において、不必要な処理負担を低減できると共に消費電流を低減し得る携帯端末装置を実現できる。
【発明を実施するための最良の形態】
【０００８】
以下、本発明の実施の形態について図面を参照して詳細に説明する。
【０００９】
本実施の形態では、本発明を携帯電話機に適用した場合について説明する。
【００１０】
図１に、本発明の実施の形態に係る携帯電話機の構成を示す。携帯電話機１００は、アンテナ１０１で受信した信号を受信信号処理部１０２に入力する。受信信号処理部１０２は、受信信号に対してダウンコンバートやアナログディジタル変換等の所定の無線受信処理を施し、処理後の信号をダイバーシチ処理部１０３に送出する。
【００１１】
また携帯電話機１００は音声信号処理部１０４を有し、音声信号処理部１０４で形成した音声信号を切替部１０５を介してスピーカ１０６に送出する。
【００１２】
加えて、携帯電話機１００はイヤホン接続部１０７を有する。イヤホン接続部１０７は、イヤホン端子２０３が挿抜できるように形成されている。イヤホン接続部１０７は、イヤホン端子２０３が挿入されると、イヤホン２００と携帯電話機１００の内部回路とを電気的に接続する。この実施の形態の例では、音声信号処理部１０４で形成された音声信号が切替部１０５、イヤホン接続部１０７及びイヤホン端子２０３を介してスピーカ２０２に供給されると共に、アンテナ２０１の受信信号がイヤホン端子２０３及びイヤホン接続部１０７を介して受信信号処理部１０２に供給される。
【００１３】
イヤホン接続部１０７にイヤホン端子２０３が挿入され、イヤホン２００と携帯電話機１００の内部回路が電気的に接続された状態において、イヤホン２００のアンテナ２０１で受信された信号は受信信号処理部１０２で受信処理された後、ダイバーシチ処理部１０３に送出される。
【００１４】
ダイバーシチ処理部１０３は、携帯電話機１００のアンテナ１０１からの受信信号を復調すると共に、イヤホン２００のアンテナ２０１からの受信信号を復調する。さらにダイバーシチ処理部１０３は、復調後の各受信信号をダイバーシチ合成する。ダイバーシチ合成としては、受信品質の良いいずれか一方の受信信号のみを選択する選択合成を用いてもよく、受信品質の比に基づいて各受信信号を重み付け合成してもよく、種々の手法を適用できる。
【００１５】
ここでダイバーシチ処理部１０３の具体的な構成としては、携帯電話機１００のアンテナ１０１からの受信信号を復調する処理系統と、イヤホン２００のアンテナ２０１からの受信信号を復調する処理系統の２つの復調系統が設けられていると共に、これらによる復調結果を合成する合成部が設けられている。ダイバーシチ処理部１０３は、ＣＰＵによってこれらの処理系統及び合成部を制御することにより、ダイバーシチ処理を実現する。
【００１６】
かかる構成に加えて、携帯電話機１００は、イヤホン挿抜検出部１０８を有する。イヤホン挿抜検出部１０８は、携帯電話機１００とイヤホン２００が電気的に接続されているか否かを検出する。この実施の形態の場合、イヤホン２００に電気的に接続される部分のインピーダンス等の電気的な変化に基づいて、イヤホン２００の挿抜を検出する。なお挿抜の検出方法は特に限定されるものではなく、種々の方法を適用してよい。
【００１７】
イヤホン挿抜検出部１０８の検出結果は制御部１０９に送出される。制御部１０９は、イヤホン端子２０３が抜かれたことを示す検出結果をイヤホン挿抜検出部１０８から受け取ると、ダイバーシチ処理部１０３にダイバーシチ処理機能を停止させるための制御信号を送出する。
【００１８】
従って、ダイバーシチ処理部１０３は、イヤホン接続部１０７からイヤホン端子２０３が抜かれるとダイバーシチ機能を停止し、携帯電話機１００に搭載されたアンテナ１０１からの受信信号のみを復調する処理を行う。これにより、２つのアンテナ１０１、２０１からの受信信号を復調し、ダイバーシチ合成を行う場合と比較して、処理量を低減することができると共に消費電流を低減することができる。
【００１９】
因みに、本実施の形態との比較において、イヤホン２００が抜かれた場合でもダイバーシチ機能を働かせると、ダイバーシチ処理部１０３はイヤホン２００のアンテナ２０１からの信号が供給されていないにも拘わらずその信号を復調するための復調系統を作動し続け、さらにダイバーシチ処理部１０３に設けられたＣＰＵはダイバーシチ処理モードで処理を行うため、不必要な処理及び不必要な消費電流を浪費することになる。本実施の形態の携帯電話機では、これらの浪費を有効に防止することができる。
【００２０】
図２に、制御部１０９における処理手順を示す。制御部１０９は、ステップＳＴ１で受信が開始されるとステップＳＴ２に移る。なお制御部１０９は、受信が開始されたことを、例えば、受信信号処理部１０２から出力される携帯電話機１００のアンテナ１０１からの信号の有無により検出すればよい。但し、受信開始の検出方法はこれに限らない。
【００２１】
制御部１０９は、ステップＳＴ２において、イヤホン挿抜検出部１０８からの検出信号に基づいてイヤホン端子２０３が挿入されているか否かを判断する。イヤホン端子２０３が挿入されている場合、制御部１０９は、ステップＳＴ３に移ってダイバーシチ処理部１０３のダイバーシチ機能をＯＮ制御する。これに対して、イヤホン端子２０３が挿入されていない場合、ステップＳＴ４に移ってダイバーシチ処理部１０３のダイバーシチ機能をＯＦＦ制御する。
【００２２】
次に、制御部１０９はステップＳＴ５で、受信中であるか否か判断し、受信中である場合にはステップＳＴ２に戻り、受信中でない場合には処理を終了する。なお受信中であるか否かも、例えば、受信信号処理部１０２から出力される携帯電話機１００のアンテナ１０１からの信号の有無により検出すればよい。但し、受信中か否かの検出方法はこれに限らない。このように、制御部１０９は、受信中には、ステップＳＴ２−ＳＴ３（ＳＴ４）−ＳＴ５−ＳＴ２のループを繰り返し実行することにより、イヤホン端子２０３の挿抜を常に監視してダイバーシチ機能のＯＮ／ＯＦＦを制御するようになっている。
【００２３】
このように本実施の形態によれば、イヤホン端子２０３の挿抜を検出するイヤホン挿抜検出部１０８と、イヤホン端子２０３が抜かれている検出結果が得られたときにダイバーシチ機能を停止する制御部１０９とを設けたことにより、不必要な処理負担を低減できると共に消費電流を低減できる携帯電話機１００を実現できる。
【００２４】
なお、本実施の形態では、本発明を携帯電話機に適用した例について述べたが、本発明はこれに限らず、本体に設けられたアンテナの受信信号と、イヤホンに設けられたアンテナの受信信号をダイバーシチ処理する機能を有する携帯端末装置に広く適用できる。
【産業上の利用可能性】
【００２５】
本発明は、装置本体のアンテナの受信信号と、イヤホンに設けられたアンテナの受信信号をダイバーシチ処理する機能を有する携帯端末装置に適用して好適なものである。
【図面の簡単な説明】
【００２６】
【図１】本発明の実施の形態に係る携帯電話機の構成を示すブロック図
【図２】制御部の処理手順を示すフローチャート
【符号の説明】
【００２７】
１００  携帯電話機
１０１、２０１  アンテナ
１０２  受信信号処理部
１０３  ダイバーシチ処理部
１０７  イヤホン接続部
１０８  イヤホン挿抜検出部
１０９  制御部
２００  イヤホン
２０３  イヤホン端子
【図１】
2006101012.tif 000003
【図２】
2006101012.tif 000004